(57)【要約】【課題】より多くのユーザに適切な広告を提供することを可能にすると共に、デジタル画像データをプリントする際のプリント料金を下げることが可能なプリントシステム、プリントサーバ、プリント方法及びプリントプログラムを提供する。【解決手段】メールサーバ２は、パソコン端末７への広告付きメールの配信数及びパソコン端末７のユーザが登録したジャンルの登録数の少なくとも一方をデータベース３に格納し、プリントサーバ４は、メールサーバ２のデータベース３に格納されている広告付きメールの配信数及びパソコン端末７のユーザが登録したジャンルの登録数の少なくとも一方、又はこれらに基づいて算出されたポイントに基づいて、プリント処理の課金額を決定する。【選択図】　図１
2004127130.tif 000002
【特許請求の範囲】
【請求項１】
広告付きのメールを受信する端末と、
ユーザに関するデータを格納するユーザデータベースを備える、前記端末に広告付きのメールを配信するメールサーバと、
デジタル画像データを格納する画像データベースを備える、ユーザからの指示により、前記画像データベースに格納されているデジタル画像データ又はユーザ端末から受信したデジタル画像データのプリント処理を行うプリントサーバとを備えるプリントシステムにおいて、
前記メールサーバは、
前記端末への前記広告付きメールの配信数及び前記端末のユーザが登録したジャンルの登録数の少なくとも一方を前記ユーザデータベースに格納させ、
前記プリントサーバは、
前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定することを特徴とするプリントシステム。
【請求項２】
前記端末に配信される広告付きメールの広告は、
前記端末のユーザが登録したジャンルに対応した広告であることを特徴とする請求項１に記載のプリントシステム。
【請求項３】
広告付きのメールを受信する端末と、
ユーザに関するデータを格納するユーザデータベースを備える、前記端末に広告付きのメールを配信するメールサーバとを備えるプリントシステムに使用される、
デジタル画像データを格納する画像データベースを備える、ユーザからの指示により、前記画像データベースに格納されているデジタル画像データ又はユーザ端末から受信したデジタル画像データのプリント処理を行うプリントサーバであって、
前記メールサーバは、
前記端末への前記広告付きメールの配信数及び前記端末のユーザが登録したジャンルの登録数の少なくとも一方を前記ユーザデータベースに格納させ、
前記プリントサーバは、
前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定することを特徴とするプリントサーバ。
【請求項４】
前記端末に配信される広告付きメールの広告は、
前記端末のユーザが登録したジャンルに対応した広告であることを特徴とする請求項３に記載のプリントサーバ。
【請求項５】
広告付きのメールを受信する端末と、
ユーザに関するデータを格納するユーザデータベースを備える、前記端末に広告付きのメールを配信するメールサーバと、
デジタル画像データを格納する画像データベースを備える、ユーザからの指示により、前記画像データベースに格納されているデジタル画像データ又はユーザ端末から受信したデジタル画像データのプリント処理を行うプリントサーバとを備えるプリントシステムにおいて適用されるプリント方法であって、
前記メールサーバが、
前記端末への前記広告付きメールの配信数及び前記端末のユーザが登録したジャンルの登録数の少なくとも一方を前記ユーザデータベースに格納させる工程と、
前記プリントサーバが、
前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定する工程とを備えることを特徴とするプリント方法。
【請求項６】
前記端末に配信される広告付きメールの広告は、
前記端末のユーザが登録したジャンルに対応した広告であることを特徴とする請求項５に記載のプリント方法。
【請求項７】
広告付きのメールを受信する端末と、
ユーザに関するデータを格納するユーザデータベースを備える、前記端末に広告付きのメールを配信するメールサーバと、
デジタル画像データを格納する画像データベースを備える、ユーザからの指示により、前記画像データベースに格納されているデジタル画像データ又はユーザ端末から受信したデジタル画像データのプリント処理を行うプリントサーバとを備えるプリントシステムにおける、前記プリントサーバに適用されるプリントプログラムであって、
前記メールサーバは、
前記端末への前記広告付きメールの配信数及び前記端末のユーザが登録したジャンルの登録数の少なくとも一方を前記ユーザデータベースに格納させ、
前記プリントサーバを、
前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定する決定手段として機能させることを特徴とするプリントプログラム。
【請求項８】
前記端末に配信される広告付きメールの広告は、
前記端末のユーザが登録したジャンルに対応した広告であることを特徴とする請求項７に記載のプリントプログラム。
【発明の詳細な説明】
【０００１】
【発明の属する技術分野】
本発明はデジタル画像データのプリントシステム、プリントサーバ、プリント方法及びプリントプログラムに関する。
【０００２】
【従来の技術】
従来、ユーザがデジタルカメラ等により撮影したデジタル画像データをプリント処理して出力する方法が種々開発されている。
【０００３】
このようなプリント処理を行う場合、例えば特開２００２−２５１３５５号公報に記載されているように、デジタルカメラ等で撮影したデジタル画像データをネットワークを経由して、プリントサーバに送信するのが一般的である。
【０００４】
そして、プリントサーバは、デジタル画像データを格納し、ユーザなどの指示に基づいてそのデジタル画像データのプリント処理を行なう。
【０００５】
一方、商品やサービスを提供する事業主は、その商品やサービスを出来るだけ幅広い顧客に広告しようとするものである。
【０００６】
そのため、その提供する商品やサービスを広告するために、メールに広告を付与する方法が取られている。
【０００７】
例えば特開２００２−２３０３９７号公報では、オプトインメールと呼ばれるダイレクト電子メールを広告媒体として用いてユーザに広告を配信するとしている。
【０００８】
また、特開２００１−３５０６００号公報には、写真画像データのプリント処理を行なう場合に、ユーザにとって有益な広告を写真画像データとともにプリントする技術が開示されている。
【０００９】
【特許文献１】
特開２００２−２５１３５５号公報
【００１０】
【特許文献２】
特開２００２−２３０３９７号公報
【００１１】
【特許文献３】
特開２００１−３５０６００号公報
【００１２】
【発明が解決しようとする課題】
しかしながら、上記のようなプリントサービスでは、未だプリント料金が高額であると不満を持つユーザも存在した。また、特にプリント料金に不満を持たないユーザであっても、プリント料金の低下はユーザにとって好ましいものといえる。
【００１３】
また、広告を行う者は、広告付きのメールを受信するユーザの数をさらに増大したいと思っている。
【００１４】
また、広告にも提供しようとするサービスや商品に応じて各種のジャンルがあり、広告主は出来る限りそのジャンルに適切なユーザに広告を提供したいと思っている。
【００１５】
本発明は上記事情に鑑みなされたもので、より多くのユーザに適切な広告を提供することを可能にすると共に、デジタル画像データをプリントする際のプリント料金を下げることが可能なプリントシステム、プリントサーバ、プリント方法及びプリントプログラムを提供することを目的とする。
【００１６】
【課題を解決するための手段】
上記目的を達成するため、本発明に係るプリントシステムは、
広告付きのメールを受信する端末と、ユーザに関するデータを格納するユーザデータベースを備える、前記端末に広告付きのメールを配信するメールサーバと、デジタル画像データを格納する画像データベースを備える、ユーザからの指示により、前記画像データベースに格納されているデジタル画像データ又はユーザ端末から受信したデジタル画像データのプリント処理を行うプリントサーバとを備えるプリントシステムにおいて、前記メールサーバは、前記端末への前記広告付きメールの配信数及び前記端末のユーザが登録したジャンルの登録数の少なくとも一方を前記ユーザデータベースに格納させ、前記プリントサーバは、前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定することを特徴とする。
【００１７】
また、本発明に係るプリントシステムは、前記端末に配信される広告付きメールの広告は、前記端末のユーザが登録したジャンルに対応した広告であることを特徴とする。
【００１８】
さらに、本発明に係るプリントサーバは、広告付きのメールを受信する端末と、ユーザに関するデータを格納するユーザデータベースを備える、前記端末に広告付きのメールを配信するメールサーバとを備えるプリントシステムに使用される、デジタル画像データを格納する画像データベースを備える、ユーザからの指示により、前記画像データベースに格納されているデジタル画像データ又はユーザ端末から受信したデジタル画像データのプリント処理を行うプリントサーバであって、前記メールサーバは、前記端末への前記広告付きメールの配信数及び前記端末のユーザが登録したジャンルの登録数の少なくとも一方を前記ユーザデータベースに格納させ、前記プリントサーバは、前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定することを特徴とする。
【００１９】
また、本発明に係るプリントサーバは、前記端末に配信される広告付きメールの広告は、前記端末のユーザが登録したジャンルに対応した広告であることを特徴とする。
【００２０】
さらに、本発明に係るプリント方法は、広告付きのメールを受信する端末と、ユーザに関するデータを格納するユーザデータベースを備える、前記端末に広告付きのメールを配信するメールサーバと、デジタル画像データを格納する画像データベースを備える、ユーザからの指示により、前記画像データベースに格納されているデジタル画像データ又はユーザ端末から受信したデジタル画像データのプリント処理を行うプリントサーバとを備えるプリントシステムにおいて適用されるプリント方法であって、前記メールサーバが、前記端末への前記広告付きメールの配信数及び前記端末のユーザが登録したジャンルの登録数の少なくとも一方を前記ユーザデータベースに格納させる工程と、前記プリントサーバが、前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定する工程とを備えることを特徴とする。
【００２１】
また、本発明に係るプリント方法は、前記端末に配信される広告付きメールの広告は、前記端末のユーザが登録したジャンルに対応した広告であることを特徴とする。
【００２２】
さらに、本発明に係るプリントプログラムは、広告付きのメールを受信する端末と、ユーザに関するデータを格納するユーザデータベースを備える、前記端末に広告付きのメールを配信するメールサーバと、デジタル画像データを格納する画像データベースを備える、ユーザからの指示により、前記画像データベースに格納されているデジタル画像データ又はユーザ端末から受信したデジタル画像データのプリント処理を行うプリントサーバとを備えるプリントシステムにおける、前記プリントサーバに適用されるプリントプログラムであって、前記メールサーバは、前記端末への前記広告付きメールの配信数及び前記端末のユーザが登録したジャンルの登録数の少なくとも一方を前記ユーザデータベースに格納させ、前記プリントサーバを、前記ユーザデータベースに格納されている広告付きメールの配信数及び前記端末のユーザが登録したジャンルの登録数の少なくとも一方に基づいて、又は前記ユーザデータベースに格納されている広告付きメールの配信数及び前記端末のユーザが登録したジャンルの登録数の少なくとも一方に基づいて算出されたポイントに基づいて、前記プリント処理の課金額を決定する決定手段として機能させることを特徴とする。
【００２３】
また、本発明に係るプリントプログラムは、前記端末に配信される広告付きメールの広告は、前記端末のユーザが登録したジャンルに対応した広告であることを特徴とする。
【００２４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２５】
なお、以下に説明する本発明に係るプリントシステムの一実施形態の説明は、本発明に係るプリントサーバ、プリント方法及びプリントプログラムの一実施形態の説明を兼ねる。
【００２６】
（プリントシステムの一実施形態）
本発明に係るプリントシステムの一実施形態について説明する。まず、図１に、本発明に係るプリントシステムの一実施形態の全体構成図を示す。
【００２７】
図１に示されるように、本発明に係るプリントシステムの一実施形態は、メールサーバ２に対して広告付きメールの配信を指示する広告サーバ１を備える。
【００２８】
この広告サーバ１は、広告主自身が管理又は所有するものとしても良いが、一般的には、広告主が広告依頼を行う広告代理店が管理又は所有するものである。また、広告サーバ１は、メールサーバ２に対して広告コンテンツを送信する。
【００２９】
また、本発明に係るプリントシステムの一実施形態は、図１に示されるように、ユーザが備えるパソコン端末７や携帯端末９に広告付きメールを配信するメールサーバ２を備える。
【００３０】
したがって、これらパソコン端末７や携帯端末９は、本発明に係る端末として機能する。
【００３１】
このメールサーバ２は、各種の情報を格納するデータベース（ＤＢ）３を備える。このデータベース３は、例えばメールサーバ２に内蔵されているハードディスクにより構成される。もちろん、このデータベース３は、例えばデータベースサーバにより構成されるとしても良い。
【００３２】
また、このメールサーバ２は、広告サーバ１から送信された広告コンテンツを受信する。この広告コンテンツはデータベース３に格納される。そして、広告付きメールが配信される場合に、メールに広告が付与される。
【００３３】
また、本発明に係るプリントシステムの一実施形態は、ユーザからの指示により格納されているデジタル画像データ又はユーザ端末から送信されたデジタル画像データを受信し、この受信したデジタル画像データのプリント処理をプリント装置１０等に指示するプリントサーバ４を備える。
【００３４】
ここで、プリント装置１０はプリントサーバ４からの指示に基づいてデジタル画像データをプリント１４として出力する装置である。
【００３５】
また、上記ユーザ端末とは、図１に示されるように、例えば、パソコン端末７、携帯端末９、情報処理装置１２等である。
【００３６】
プリントサーバ４は、例えばユーザから送信されたデジタル画像データなどを格納するためのデータベース（ＤＢ）５を備える。このデータベース５は、例えばプリントサーバ４に内蔵されているハードディスクにより構成される。もちろん、このデータベース３は、例えばデータベースサーバにより構成されるとしても良い。
【００３７】
なお、この図１に示されるプリントサーバ４が、本発明に係るプリントサーバに対応する。
【００３８】
また、図１に示されるように、本発明に係るプリントシステムの一実施形態は、メールサーバ２から広告付きメールを受信したり、プリントサーバ４に対してデジタル画像データを送信したりするためのパソコン端末７を備える。
【００３９】
ここで、ユーザがプリントサーバ４に送信するデジタル画像データは、例えばデジタルカメラ１１により撮影したデジタル画像データであるとして良い。
【００４０】
デジタルカメラ１１により撮影された画像のデジタル画像データは、例えばメモリーカード１１ａに記録される。このデジタルカメラ１１は、例えば被写体１３を撮影する。
【００４１】
そして、メモリーカード１１ａをパソコン端末７のメモリーカードリーダ７ａに挿入することにより、メモリーカード１１ａに格納されているデジタル画像データはパソコン端末７に取り込まれる。
【００４２】
パソコン端末７に取り込まれたデジタル画像データは、ネットワーク６を介してプリントサーバ４に送信される。
【００４３】
また、図１に示されるように、本発明に係るプリントシステムの一実施形態は、基地局８を介して無線電波を送受信する携帯端末９を備える。この広告付きメールを受信し、デジタル画像データを送信する携帯端末９は、例えば携帯電話、ＰＤＡ、モバイルパソコン等を挙げることができる。
【００４４】
この携帯端末９は、メールサーバ２から配信された広告付きメールを受信し、その広告を表示部に表示させる。
【００４５】
携帯端末９は、被写体１３を撮影しデジタル画像データを取得するためのカメラ９ａを備える。
【００４６】
カメラ９ａにより得られたデジタル画像データは、携帯端末３９のデータの送受信機能を利用して、ネットワーク６を介してプリントサーバ４に送信される。
【００４７】
図１に示されるようなカメラ９ａ付きの携帯端末９としては例えば撮影機能付きの携帯電話を挙げることができる。
【００４８】
このように、ユーザがプリントサーバ４に送信するデジタル画像データは、デジタルカメラ１１により撮影したデジタル画像データに限定されず、例えば撮影機能付きの携帯電話などにより撮影したデジタル画像データなど、任意のデジタル画像データであって良い。
【００４９】
また、図１に示されるように、本発明に係るプリントシステムの一実施形態は、ネットワーク６に接続された情報処理装置１２を備える。
【００５０】
この情報処理装置１２は、ネットワーク６を介して情報の送受信を行う装置である。そして、情報処理装置１２によって送受信される情報にはデジタル画像データが含まれる。
【００５１】
情報処理装置１２は、メモリーカード１１ａに記録されたデジタル画像データをメモリーカードリーダ１２ａを介して読み取る。
【００５２】
そして、情報処理装置１２は、読み取られたメモリーカード１１ａ上のデジタル画像データをネットワーク６を介してプリントサーバ４に送信する。
【００５３】
このように、本実施形態では、自宅のパソコン端末７や携帯端末９だけではなく、コンビニ等に設置の情報処理装置１２からプリントサーバ４にデジタル画像データを送信しても良い。
【００５４】
上記広告サーバ１、メールサーバ２及びデータベース３、プリントサーバ４及びデータベース５、パソコン端末７、携帯端末９、プリント装置１０、情報処理装置１２は、互いにネットワーク６により接続されている。
【００５５】
このネットワーク６は、インターネットであるのが一般的であり、本実施形態もインターネットを用いた。しかし、このネットワーク６はインターネットに限定されるものではなく、例えばＬＡＮ、専用線等も用いることができる。
【００５６】
なお、図１では、広告サーバ１、メールサーバ２及びデータベース３、プリントサーバ４及びデータベース５、パソコン端末７、携帯端末９、プリント装置１０、情報処理装置１２の数はそれぞれ１つしか示されていないが、本実施形態に使用されるこれらの数は１つに限定されるものではなく、携帯端末９及び情報処理装置１２を除いては、それぞれ１以上の任意の数であって良い。携帯端末９及び情報処理装置１２は、場合によっては、本実施形態のプリントシステムに使用されない場合もあるので、携帯端末９及び情報処理装置１２の数は０以上の数であって良い。
【００５７】
次に、図１に示されるプリントサーバの内部構造について、図２を参照して説明する。図２は、図１に示されるプリントサーバ４の内部ブロック図である。
【００５８】
図２に示されるように、プリントサーバ４は、ＣＰＵ（Ｃｅｎｔｒａｌ　Ｐｒｏｃｅｓｓｉｎｇ　Ｕｎｉｔ）２０１と、入力部２０２と、主記憶部２０３と、出力部２０４と、補助記憶部２０５と、クロック部２０６とからなる。
【００５９】
ＣＰＵ２０１は別名処理部としての部品であり、システム内の各部に命令を送りその動作を制御する制御部２０７と、サーバの中心的な部分でデジタルデータの演算処理を行う演算部２０８とからなる。
【００６０】
なお、このＣＰＵ２０１はプログラムと協働することにより、メールサーバ２のデータベース３に格納されている広告付きメールの配信数及びユーザが登録したジャンルの登録数の少なくとも一方に基づいて、プリント処理の課金額を決定させる本発明の決定手段として機能する。
【００６１】
同様に、このＣＰＵ２０１はプログラムと協働することにより、メールサーバ２のデータベース３に格納されている広告付きメールの配信数及びユーザが登録したジャンルの登録数の少なくとも一方に基づいて、ポイントを算出し、この算出されたポイントに基づいて、プリント処理の課金額を決定させる本発明の決定手段として機能する。
【００６２】
制御部２０７は、クロック部２０６が発するクロックのタイミングに従い、入力部２０２から入力されたデータや予め与えられた手順（例えばプログラムやソフトウェア）を主記憶部２０３に読み込み、この読み込んだ内容に基づいて演算部２０８に命令を送り演算処理を行わせる。
【００６３】
この演算処理の結果は、制御部２０７の制御に基づいて、主記憶部２０３、出力部２０４及び補助記憶部２０５等の内部の機器や外部の機器等に配信される。
【００６４】
入力部２０２は、各種データを入力するための部品であり、例えばキーボード、マウス、ポインティングデバイス、タッチパネル、マウスパッド、ＣＣＤカメラ、カード読み取り機、紙テープ読み取り部、磁気テープ部等が考えられる。
【００６５】
主記憶部２０３は別名メモリと呼ばれる部品であり、処理部及び内部記憶部において、命令を実行するために使われるアドレス可能な記憶空間を指す部品である。
【００６６】
この主記憶部２０３は主として半導体記憶素子により構成され、入力したプログラムやデータを格納、保持すると共に、制御部２０７の指示にしたがい、この格納保持されているデータを例えばレジスタに読み出す。
【００６７】
また、主記憶部２０３を構成する半導体記憶素子としてはＲＡＭ（Ｒａｎｄｏｍ　Ａｃｃｅｓｓ　Ｍｅｍｏｒｙ）やＲＯＭ（Ｒｅａｄ　Ｏｎｌｙ　Ｍｅｍｏｒｙ）等が挙げられる。
【００６８】
出力部２０４は、演算部２０８の演算結果等を出力するための部品であり、例えばＣＲＴ、プラズマディスプレイパネル及び液晶ディスプレイその他の表示部、プリンタなどの印刷部、音声出力部等が該当する。
【００６９】
また、補助記憶部２０５は、主記憶部２０３の記憶容量を補うための部品であり、これに使用される媒体には、ＣＤ−ＲＯＭ、ハードディスクなどのほか、情報を書き込み可能な例えばライトワンス系のＣＤ−Ｒ、ＤＶＤ−Ｒや、相変化記録系のＣＤ−ＲＷ、ＤＶＤ−ＲＡＭ、ＤＶＤ＋ＲＷ、ＰＤ、光磁気記憶系の記録媒体、磁気記録系の記録媒体、リムーバルＨＤＤ系の記録媒体、フラッシュメモリ系の記録媒体を用いることができる。
【００７０】
この補助記憶部２０５は、図１に示されるデータベース５に該当する場合もある。ただし、前述のように、図１に示されるデータベース５は、プリントサーバ４に内蔵されるものに限定されず、プリントサーバ４と接続されたデータベースサーバにより実現されるとしても良い。このことは、図１に示されるメールサーバ２に接続されたデータベース３にも同様に成り立つ。
【００７１】
ここで、上記各部は、バス２０９により相互に接続されている。
【００７２】
また、本実施形態において、図２に示される各部のうち不要な部があればそれは適宜に削除することができる。例えば出力部２０４を構成するディスプレイなどは不要になる場合があり、この場合、本実施形態において、出力部２０４が不要になる場合がある。
【００７３】
また、上記主記憶部２０３及び補助記憶部２０５の個数は各１つに限定されるものではなく、任意の個数であって良い。これら、上記主記憶部２０３及び補助記憶部２０５の個数が増えればそれだけサーバの耐障害性が向上することとなる。
【００７４】
なお、プリントサーバ４を動作させるための各種プログラムは、上記主記憶部２０３及び補助記憶部２０５の少なくともいずれか一方に記憶（記録）される。
【００７５】
したがって、本発明に係るプリントプログラムは、上記主記憶部２０３及び補助記憶部２０５の少なくともいずれか一方に記憶されたプログラムであるとして良い。
【００７６】
なお、図２に示されるプリントサーバ４の内部構成は、図１に示されるメールサーバ２の内部構成と略同様であり、上述の説明は図１に示されるメールサーバ２の説明としても略同様に成り立つ。
【００７７】
次に、図１に示される本発明に係るプリントシステムの一実施形態の全体動作の概略について図３を参照して説明する。図３は、図１に示されるプリントシステムの全体動作の概略のフローチャートである。なお、図３に示されるフローチャートの説明は、本発明に係るプリント方法の一実施形態の説明となる。
【００７８】
まず、パソコン端末７は、メールサーバ２に対してユーザ登録の処理を依頼する（Ｓ３０１）。この登録処理の依頼は、ネットワーク６を介して、ネットワーク上で行なわれるとして良い。
【００７９】
パソコン端末７からの登録処理の依頼を受けて、メールサーバ２は、ユーザ登録を行なう（Ｓ３０２）。この際にメールサーバ２に登録される事項については後述する。
【００８０】
次に、パソコン端末７は、プリントサーバ４に対してユーザ登録の処理を依頼する（Ｓ３０３）。この登録処理の依頼は、ネットワーク６を介して、ネットワーク上で行なわれるとして良い。
【００８１】
パソコン端末７からの登録処理の依頼を受けて、プリントサーバ４は、ユーザ登録を行なう（Ｓ３０４）。この際にプリンタサーバ４に登録される事項については後述する。
【００８２】
なお、上述のＳ３０１及びＳ３０３において行われた、メールサーバ２へのユーザ登録、プリントサーバ４へのユーザ登録は、図３に示されるような順序で行われる場合に限定されるものではなく、これらが行われる順序は逆にすることができる。
【００８３】
次に、パソコン端末７は、撮影されたデジタル画像データのプリントサーバ４への送信を行う（Ｓ３０５）。
【００８４】
パソコン端末７からデジタル画像データを受信したプリントサーバ４は、この受信したデジタル画像データをデータベース５に格納する（Ｓ３０６）。このプリントサーバ４が、デジタル画像データを格納する動作が不要になる場合もある点については後述する。
【００８５】
次に、広告サーバ１は、メールサーバ２に対して広告の配信を依頼する（Ｓ３０７）。配信される広告は、予め又は広告の配信と同時に、広告コンテンツとして、広告サーバ１からメールサーバ２へと送信される（図１参照）。
【００８６】
広告サーバ１からの広告の配信の依頼を受けたメールサーバ２は、パソコン端末７に対して広告の配信を行う（Ｓ３０８）。この広告の配信は、広告付きメールをパソコン端末７に配信することにより行われる。
【００８７】
なお、広告サーバ１からの広告の配信の依頼を受けたメールサーバ２は、携帯端末９に対して広告の配信を行うとしても良い。この場合、携帯端末９は、広告付きメールの受信端末として機能する。
【００８８】
次に、パソコン端末７に広告付きメールの配信をしたメールサーバ２は、ユーザへの広告付きメールの配信数のデータの更新処理を行なう（Ｓ３０９）。この更新処理については後述する。
【００８９】
次に、メールサーバ２は、広告付きメールの配信状況について広告サーバ１に報告する（Ｓ３１０）。この報告の内容は、例えば、広告を配信したユーザの数、配信した広告の内容などがある。
【００９０】
次に、パソコン端末７は、プリントサーバ４に対してデジタル画像データのプリント処理の依頼を行う（Ｓ３１１）。
【００９１】
そして、プリント処理の依頼を受信したプリントサーバ４は、メールサーバ２から情報を受信して、プリント価格の決定を行う（Ｓ３１２）。メールサーバ２は情報の検索、送信を行う（Ｓ３１３）。この際に交換される情報、プリント価格の決定の方法については後述する。
【００９２】
次に、プリントサーバ４は、プリントの指示を行い（Ｓ３１４）、課金処理を行なって（Ｓ３１５）、動作を終える。プリント処理された画像は、プリント１４としてユーザに配送される。
【００９３】
ここで、図３に示されるフローチャートを参照して行った、上記実施形態のプリントシステムの一実施形態の説明では、パソコン端末７から送信されたデジタル画像データを一度プリントサーバ４に格納（Ｓ３０５，Ｓ３０６）した後、ユーザからの指示に基づいてこの格納されたデジタル画像データのプリント処理を行うとしている（Ｓ３１１，Ｓ３１４）。
【００９４】
しかし、本発明に係るプリントシステムは、このようなプリント処理に限定されるものではなく、ユーザがプリント処理を行なう場合にデジタル画像データを送信し、プリントサーバ４は、この受信したデジタル画像データをそのままプリント処理する場合も考えられる。この場合、プリントサーバ４は、プリント処理に必要なデジタル画像データの格納は行う。
【００９５】
すなわち、プリントサーバ４が、ユーザから送信されたデジタル画像データを予め格納し、後になって、プリント処理を行なうための、デジタル画像データの格納領域を使用しない場合も考えられるということである。
【００９６】
なお、受信したデジタル画像データをプリントサーバ４がそのままプリント処理する場合に、プリントサーバ４にデジタル画像データを送信するユーザ端末としては、図１に示されるパソコン端末７、携帯端末９及び情報処理装置１２を挙げることができる。
【００９７】
次に、図１に示される本発明に係るプリントシステムの一実施形態の各動作についてさらに詳細に説明する。
【００９８】
（メール会員登録処理）
まず、図１に示される本発明に係るプリントシステムの一実施形態における、メール会員登録処理について図４及び図５を参照して説明する。図４は、図１に示されるプリントシステムにおける、メールサーバ２のメール会員登録処理のフローチャートであり、図５は、図１に示されるプリントシステムにおける、メール会員登録処理の際にメールサーバ２のデータベース３に格納されるデータの概念図である。
【００９９】
図４に示される各処理は、メールサーバ２のＣＰＵがプログラムと協働して処理される。
【０１００】
図４に示されるように、メールサーバ２は、メール会員登録処理の要求を受けると、ユーザ（パソコン端末７）からメール登録に必要な事項を受信する（Ｓ４０１）。
【０１０１】
メールサーバ２がユーザから受信するメール登録に必要な事項とは、例えば、ユーザの氏名、年齢、性別、住所、電話番号、メールアドレス等がある。
【０１０２】
なお、ユーザの同一性を識別するために、ＩＤをユーザからメールサーバ２に配信し、メールサーバ２がこのＩＤを格納するとしても良い。
【０１０３】
次に、メールサーバ２は、ユーザに対してジャンルの登録をするか否かを問い合わせる（Ｓ４０２）。
【０１０４】
ここで、ジャンルとは、ユーザに配信する広告付きメールの広告の属するジャンルをいう。このようなジャンルとして、例えば、旅行、写真、ショッピング、スポーツ、合コン、車などを挙げることができる。もちろん、広告のジャンルとしてはこのようなジャンルに限定されず、その他の適宜なジャンルを使用することができる。
【０１０５】
ユーザがジャンルの登録をするとした場合（Ｓ４０２においてＹＥＳ）、Ｓ４０３に移行し、メールサーバ４は、ユーザによって選択されたジャンルの受信を行う。この際にユーザによって選択されるジャンルの数は、１つの場合のみならず、複数の場合もある。
【０１０６】
次に、メールサーバ２は、上記メール登録事項及びジャンルを、ユーザに固有の情報としてデータベース３に格納する（Ｓ４０４）。
【０１０７】
ここで、図４に示されるフローチャートのＳ４０４の処理によって、メールサーバ２のデータベース３に格納される情報の一例について図５に示す。
【０１０８】
図５に示されるように、メール会員登録を行った場合、メールサーバ２のデータベース３には、ユーザＩＤを主キーとして、名前、メールアドレス、ジャンルが格納されている。なお、メールサーバ２のデータベース３に格納される事項としては、図５に示される例に限定されないことは前述したとおりである。
【０１０９】
（プリント会員登録処理）
次に、図１に示されるプリントシステムにおいて、プリント会員登録処理を行なう場合について図６及び図７を参照して説明する。図６は、図１に示されるプリントシステムにおいて、プリントサーバ４がプリント会員登録処理を行なう場合のフローチャートであり、図７は、図１に示されるプリントシステムにおいて、プリントサーバ４がプリント会員登録処理を行なう場合にプリントサーバのデータベース５に格納されるデータの概念図である。
【０１１０】
図６に示される各処理は、プリントサーバ４のＣＰＵがプログラムと協働して処理される。
【０１１１】
まず、プリントサーバ４は、ユーザ（パソコン端末７）から登録事項を受信する（Ｓ６０１）。
【０１１２】
この登録事項としては、例えば、氏名、年齢、性別、住所、電話番号、メールアドレスなどを挙げることができる。なお、この際に、ユーザからプリントサーバ４に対してＩＤを配信して、このＩＤをデータベース５に格納するとしても良い。また、このＩＤは、前述のメールサーバ２のデータベース３に格納されるＩＤと同一のものであっても良いし、異なるものであっても良いし、異なるものであるが互いに対応のとれたものであっても良い。
【０１１３】
次に、プリントサーバ４は、受信した登録事項をデータベース５に格納する（Ｓ６０２）。
【０１１４】
そして、プリントサーバ４は、ユーザ登録が行われた後、データベース５に、登録されたユーザ毎に、デジタル画像データを格納するための領域（アルバム領域）を確保する（Ｓ６０３）。
【０１１５】
前述のように、プリントサーバ４がユーザからのデジタル画像データを受信してそのままプリント処理を行なう場合は、Ｓ６０３におけるアルバム領域の確保の動作は不要になる場合がある。
【０１１６】
ここで、図６に示されるフローチャートのＳ６０２の処理において、プリントサーバ４のデータベース５に格納されるデータの一例を図７に示す。
【０１１７】
図７に示されるように、プリントサーバ４のデータベース５には、ユーザＩＤを主キーとして、名前、メールアドレス、住所が格納されている。なお、プリント会員登録処理の際に登録されるデータが図７に示されるデータ以外であっても良いことは前述のとおりである。
【０１１８】
（デジタル画像データの送信処理）
次に、図８を参照して、図１に示されるプリントシステムにおいて、ユーザがパソコン端末７からデジタル画像データの送信処理を行う際の動作について説明する。図８は、図１に示されるプリントシステムにおいて、ユーザがパソコン端末７からプリントサーバ４にデジタル画像データの送信処理を行う際の動作のフローチャートである。
【０１１９】
ユーザは、まず、撮影装置で画像の撮影を行い、デジタル画像データを取得する（Ｓ８０１）。
【０１２０】
前述のように、ユーザがデジタル画像データを取得する際に使用する撮影装置としてはデジタルカメラ１１が一般的であるが、デジタル画像データの撮影機能（カメラ９ａ）付きの携帯電話であっても良い。
【０１２１】
次に、デジタル画像データを取得したユーザは、このデジタル画像データをプリントサーバ４へと送信する（Ｓ８０２）。
【０１２２】
この送信処理では、まず、例えばデジタルカメラ１１の記憶媒体としてのメモリーカード１１ａにデジタル画像データを記録し、このメモリーカード１１ａをパソコン端末７のメモリーカードリーダ７ａに挿入する。
【０１２３】
そして、メモリーカードリーダ７ａを挿入されたパソコン端末７がメモリーカード１１ａに記録されたデジタル画像データを読み取り、読み取ったデジタル画像データをネットワーク６を介してプリントサーバ４に送信することにより行われる。
【０１２４】
カメラ９ａ付きの携帯電話の場合は、カメラにて撮影した画像のデジタル画像データを、基地局８からネットワーク６を介してプリントサーバ４に送信する。
【０１２５】
（広告付きメールの配信処理）
次に、図１に示されるプリントシステムにおいて、メールサーバ２が広告付きメールを配信する際の処理について図９及び図１０を参照して説明する。図９は、図１に示されるプリントシステムにおいて、メールサーバ２が広告付きメールを配信する際のフローチャートであり、図１０は、図９に示されるフローチャートの処理において、メールサーバ２がデータベース３に格納するデータの概念図である。
【０１２６】
図９に示される各処理は、メールサーバ２のＣＰＵがプログラムと協働して処理される。
【０１２７】
まず、メールサーバ２は、広告サーバ１から広告依頼があったか否かを確認する（Ｓ９０１）。
【０１２８】
そして、広告依頼がない場合は（ＮＯ）、Ｓ９０１に移行して、広告依頼の待機状態となる。
【０１２９】
メールサーバ２が、広告依頼を広告サーバ１から受信した場合（ＹＥＳ）、メールサーバ２は、Ｓ９０２に移行し、その広告依頼が特定のジャンルのユーザへの広告依頼であるのか否かを確認する（Ｓ９０２）。
【０１３０】
メールサーバ２が受信した広告依頼が、特定のジャンルのユーザへの広告依頼でない場合（ＮＯ）、Ｓ９０４に移行する。
【０１３１】
一方、メールサーバ２が受信した広告依頼が特定のジャンルのユーザへの広告依頼である場合（ＹＥＳ）、Ｓ９０３に移行する。
【０１３２】
Ｓ９０３では、メールサーバ２が、データベース３を検索し、依頼された広告のジャンルに対応したユーザのメールアドレスを抽出し、これを広告付きメールを配信する宛先アドレスとする。
【０１３３】
次に、メールサーバ２は、広告をメールに添付し、広告付きメールとして、ユーザ（パソコン端末７や携帯端末９）に配信する（Ｓ９０４）。
【０１３４】
次に、メールサーバ２は、データベース３に格納されているユーザへの広告付きメールの配信数を更新し、動作を終える（Ｓ９０５）。この更新処理には、予め作成されているメールの配信数を変化させる場合のみならず、ユーザへのメールの配信数の情報を新たに作成する場合も含む。
【０１３５】
なお、本実施形態では、ユーザへの広告付きメールの配信数をプリント料金の割引に用いるためＳ９０５において配信数の更新処理を行なっているが、ユーザへの広告付きメールの配信数に基づいてのプリント料金の割引を行わない場合は、Ｓ９０５における配信数の更新処理が不要になる場合もある。
【０１３６】
ここで、図９に示されるフローチャートのＳ９０５の処理において、メールサーバ２によって更新されるデータについて図１０を参照して説明する。
【０１３７】
図１０に示されるように、メールサーバ２からユーザ（パソコン端末７や携帯端末９）に広告付きメールを配信した際に更新されるデータには、ユーザＩＤを主キーとして、配信数が含まれる。
【０１３８】
この配信数は、広告付きメールをユーザ（パソコン端末７や携帯端末９）に配信した数を表すものである。この配信数は、ユーザの所有する各端末毎に算出するとしても良いし、ユーザ毎に算出するとしても良い。
【０１３９】
また、この配信数には、単に累積的な配信数の情報が含まれるのみではなく、例えば１日毎、１月毎、３ヶ月毎というように、一定の期間を区切ってその期間内の配信数の情報が含まれるとして良い。
【０１４０】
（プリント処理）
次に、図１に示されるプリントシステムにおいて、プリントサーバ４がプリント処理を行なう場合の動作について図１１から図１６を参照して説明する。図１１は、図１に示されるプリントシステムにおいて、プリントサーバ４がプリント処理を行なう場合の動作のフローチャートであり、図１２、図１３及び図１４は、図１に示されるプリントシステムにおいて、プリントサーバ４がプリント処理を行なう場合の割引率を決定するためのテーブルの一例を示す概念図であり、図１５は、図１に示されるプリントシステムにおける、登録したジャンル数からポイントを算出する場合の処理のグラフであり、図１６は、図１に示されるプリントシステムにおける、配信数からポイントを算出する場合の処理のグラフである。
【０１４１】
図１１に示される各処理は、プリントサーバ４のＣＰＵがプログラムと協働して処理される。
【０１４２】
まず、プリントサーバ４は、ユーザ（パソコン端末７）からプリントオーダーがあったか否かを確認する（Ｓ１１０１）。なお、ユーザからのプリントオーダーは、パソコン端末７以外の端末からの指示であっても良い。
【０１４３】
ユーザからプリントオーダーが無い場合（ＮＯ）は、Ｓ１１０１に移行して待機状態となる。
【０１４４】
一方、ユーザからプリントオーダーがあった場合（ＹＥＳ）は、Ｓ１１０２に移行する。
【０１４５】
Ｓ１１０２では、プリントサーバ４は、メールサーバ２に対してプリントをオーダーしたユーザが、プリント価格割引対象のユーザであるのか否かの確認を行う（Ｓ１１０２）。
【０１４６】
そして、プリントサーバ４は、プリントオーダーを発したユーザが、プリント価格割引対象のユーザでなければ（ＮＯ）、Ｓ１１０４に移行する。
【０１４７】
また、プリントサーバ４は、プリントオーダーを発したユーザが、プリント価格割引対象のユーザであれば（ＹＥＳ）、Ｓ１１０３に移行する。
【０１４８】
Ｓ１１０３では、プリントサーバ４は、プリント価格の割引処理を行なう。このプリント価格の割引処理については後述する。
【０１４９】
そして、Ｓ１１０４では、プリントサーバ４は、プリントの指示を行う。このプリントの指示とは、例えば、プリントの詳細が記載された伝票の発券や、プリント装置１０に対するデジタル画像データのプリント処理指示等である。
【０１５０】
そして、Ｓ１１０５では、プリントサーバ４は課金処理を行ない、その後、動作を終える。この課金処理とは、例えば、プリント処理に対する課金額を決定し、例えばユーザの口座等から、課金額を引き落とす処理である。
【０１５１】
（割引処理）
ここで、図１１に示されるフローチャートのＳ１１０３における割引処理について図面を参照してさらに詳細に説明する。
【０１５２】
本実施形態のプリントシステムにおける割引処理としては、登録したジャンル数及び広告付きメールの配信数の少なくとも一方に基づいて割引を行う第１の割引処理と、登録したジャンル数及び広告付きメールの配信数の少なくとも一方に基づいてポイントを算出し、この算出されたポイントに基づいて割引を行う第２の割引処理との２つの処理がある。以下順次説明する。
【０１５３】
（第１の割引処理）
以下、登録したジャンル数及び広告付きメールの配信数の少なくとも一方に基づいて割引を行う第１の割引処理について図１２から図１４を参照して説明する。
【０１５４】
ここで、図１２から図１４において示される登録したジャンル数とは、メールサーバ２のデータベース３に格納されている、それぞれユーザ毎の登録されたジャンルの数である。また、この登録したジャンル数は、例えばある月の終わりの時点のジャンル数であったり、ある月の間の平均の登録したジャンル数であったりして良い。
【０１５５】
まず、図１２に、本実施形態における課金処理において割引率（％）を算出する際のテーブルの一例を示す。
【０１５６】
図１２に示される例では、登録したジャンル数に応じて割引率を決定している。すなわち、図１２に示される例では、ユーザの登録したジャンル数が０から５以下までは３％の割引率としている。
【０１５７】
さらに、図１２に示される例では、ユーザの登録したジャンル数が６以上、１０以下では４％の割引率、１１以上１５以下では５％の割引率、１６以上では６％の割引率となっている。
【０１５８】
もちろん、登録したジャンル数に応じて割引率を決定する場合、図１２に示される例に限定されるものではなく、その他の割引率としても良い。
【０１５９】
なお、割引率αを利用した料金の割引処理は次のように行われる。すなわち、ユーザが支払う料金をＹ、割り引かれる前のプリント料金をＸ、割引率をαとした場合、Ｙ＝Ｘ（１−α）である。
【０１６０】
また、プリント料金を割り引く態様には以下のような例を考えることができる。
【０１６１】
第１例として、例えば、所定の月から一定の後の月に受注したプリントのプリント料金をその月の間、割り引く態様がある。第２例として、所定の回数だけ、ユーザの依頼したプリント料金を割り引く態様がある。第３の場合として、所定の枚数だけ、プリント料金を割り引く態様がある。
【０１６２】
次に、ユーザに配信された広告付きメールの配信数に応じてプリント料金を割り引く場合について図１３を参照して説明する。
【０１６３】
図１３に示されるように、プリント料金は、ユーザへの広告付きメールの配信数の月ごとの数により変化する。
【０１６４】
すなわち、図１３に示される例では、ひと月の広告付きメールの配信数が１００件以下である場合は、割引率は３％であり、１０１件以上、１５０件以下の場合は割引率は４％であり、１５１件以上の場合は５％となっている。
【０１６５】
ただし、図１３に示される例は一例であり、広告付きメールの配信数の数値範囲、割引率は適宜変更することができる。
【０１６６】
また、プリント料金の割引処理及び割引の態様については前述の図１２を参照して説明した場合と同様である。
【０１６７】
次に、図１４を参照して、登録したジャンル数及びひと月毎の広告付きメールの配信数に基づいて割引率を決定する場合について説明する。
【０１６８】
図１４に示される場合は、登録したジャンル数を０以上５以下、６以上１０以下、１１以上１５以下、１６以上の範囲に分類している。
【０１６９】
さらに、図１４に示される場合は、ユーザへのひと月毎の広告付きメールの配信数を０件以上から１００件以下、１０１件以上から１５０件以下、１５１件以上の場合に分類している。
【０１７０】
そして、登録したジャンル数が５以下の場合は、ユーザへのひと月毎の広告付きメールの配信数が０件以上から１００件以下では割引率を３％とし、１０１件以上から１５０件以下では割引率を３％とし、１５１件以上の場合は割引率を４％としている。
【０１７１】
そして、登録したジャンル数が６以上１０以下の場合は、ユーザへのひと月毎の広告付きメールの配信数が０件以上から１００件以下では割引率を３％とし、１０１件以上から１５０件以下では割引率を４％とし、１５１件以上の場合は割引率を４％としている。
【０１７２】
そして、登録したジャンル数が１１以上１５以下の場合は、ユーザへのひと月毎の広告付きメールの配信数が０件以上から１００件以下では割引率を４％とし、１０１件以上から１５０件以下では割引率を４％とし、１５１件以上の場合は割引率を５％としている。
【０１７３】
そして、登録したジャンル数が１６以上の場合は、ユーザへのひと月毎の広告付きメールの配信数が０件以上から１００件以下では割引率を４％とし、１０１件以上から１５０件以下では割引率を５％とし、１５０件以上の場合は割引率を５％としている。
【０１７４】
また、プリント料金の割引処理及び割引の態様については前述の図１２を参照して説明した場合と同様である。
【０１７５】
もちろん、本実施形態は、図１４に示されるような登録したジャンル数の範囲及び広告付きメールの配信数の場合に限定されるものではなく、適宜その値は変更することができる。
【０１７６】
このように、本発明に係るプリントシステムの一実施形態によれば、メールサーバ２がユーザの登録したジャンル数及びユーザへの広告付きメールの配信数をデータベース３に格納しておく。
【０１７７】
そして、ユーザからのプリント処理の依頼を受けたプリントサーバ４は、プリント料金を決定する場合に、メールサーバ２のデータベース３に格納された登録されたジャンル数及び広告付きメールの配信数の少なくとも一方に基づいて、プリント料金の割引率を決定する。
【０１７８】
この割引率は、原則として、登録されたジャンル数及び広告付きメールの配信数が増えるほど割引率が大きくなるものとする。
【０１７９】
（第２の割引処理）
次に、登録したジャンル数及び広告付きメールの配信数の少なくとも一方に基づいてポイントを算出し、この算出されたポイントに基づいて割引を行う第２の割引処理について図１５及び図１６を参照して説明する。
【０１８０】
図１５に示されるように、本実施形態では、登録されたジャンル数に応じてポイントが算出され、そのポイントは例えばデータベース３にユーザ毎に格納される。
【０１８１】
この登録されたジャンル数とポイントとの関係は図１５に示されるようにいろいろな種類を設定することができる。
【０１８２】
例えば、図１５に示される例では、設定Ａでは、Ｙ（ポイント）＝２０×Ｘ（登録されたジャンル数）となっている。
【０１８３】
また、設定Ｂでは、Ｙ（ポイント）＝１０×Ｘ（登録されたジャンル数）となっている。
【０１８４】
また、設定Ｃでは、Ｙ（ポイント）＝５×Ｘ（登録されたジャンル数）となっている。
【０１８５】
もちろん、本発明のプリントシステムでは、上記の設定に限定されず、登録されたジャンル数と、ポイントとの関係は任意の関係を設定することができる。
【０１８６】
次に、図１６に示されるように、本実施形態では、ユーザへの広告付きメールの配信数に応じてポイントが算出され、例えばデータベース３にユーザ毎に格納される。
【０１８７】
この広告付きメールの配信数とポイントとの関係は図１６に示されるようにいろいろな種類を設定することができる。
【０１８８】
例えば、図１６に示される例では、設定Ｄでは、Ｙ（ポイント）＝２×Ｘ（配信数）となっている。
【０１８９】
また、設定Ｅでは、Ｙ（ポイント）＝Ｘ（配信数）となっている。
【０１９０】
また、設定Ｆでは、Ｙ（ポイント）＝１／２×Ｘ（配信数）となっている。
【０１９１】
もちろん、本発明のプリントシステムでは、上記の設定に限定されず、配信数と、ポイントとの関係は任意の関係を設定することができる。
【０１９２】
そして、図１５や図１６に示されるようにして算出されたポイントに基づいて、プリントサーバ４は、ユーザのプリント料金の割引を行う。
【０１９３】
ここで、登録したジャンル数に基づいて算出されたポイント及び広告付きメールの配信数に基づいて算出されたポイントの双方によりプリント料金の割引を行う場合は、例えばこれら２つのポイントを合算するとして良い。
【０１９４】
この割引として、例えば１ポイント＝１円と換算して、割引を行うなどが考えられる。もちろん、割引としてこのような割引に限定されるものではない。そして、ポイントを使用した割引を行った場合は、その使用したポイントをユーザの格納されているポイント数から減算しておくことが好ましい。
【０１９５】
以上のように、本実施形態では、ユーザはデジタル画像データのプリント処理を行なう場合に、登録するジャンル数を多くし、又は、広告付きメールの受信を多くすれば、プリント料金の割引を受けることができ、プリント料金の低下というメリットを得ることができる。
【０１９６】
また、広告主にとっては、ユーザがジャンルを多く登録すれば広告主が望むユーザに対して適切な広告付きメールを配信することができ、広告付きメールを受信するユーザを多くすれば、広告効果をより発揮することができる。
【０１９７】
なお、上記実施形態の説明では、広告付きメールを受信する端末として携帯端末９としたが、前述のように、広告付きメールを受信する端末としてＰＤＡやモバイルパソコン等を広告付きメールを受信する端末としても良い。
【０１９８】
【発明の効果】
以上の説明から明らかなように、本発明によれば、ユーザがデジタル画像データのプリント処理を行なう場合に、ユーザが登録したジャンル数及びユーザへ配信した広告付きメールの配信数の少なくとも一方、又はこれらに基づいて算出されたポイントに基づいてプリント料金の割引を行っているため、ユーザはプリント料金の低下というメリットを得られ、広告主は広告主が望むユーザへの広告付きメールの配信及びより多くのユーザへの広告付きメールの配信を実現することができる。
【図面の簡単な説明】
【図１】本発明に係るプリントシステムの一実施形態の全体構成図である。
【図２】図１に示されるプリントサーバ４の内部ブロック図である。
【図３】図１に示されるプリントシステムの全体動作の概略のフローチャートである。
【図４】図１に示されるプリントシステムにおける、メールサーバ２のメール会員登録処理のフローチャートである。
【図５】図１に示されるプリントシステムにおける、メール会員登録処理の際にメールサーバ２のデータベース３に格納されるデータの概念図である。
【図６】図１に示されるプリントシステムにおいて、プリントサーバ４がプリント会員登録処理を行なう場合のフローチャートである。
【図７】図１に示されるプリントシステムにおいて、プリントサーバ４がプリント会員登録処理を行なう場合にプリントサーバのデータベース５に格納されるデータの概念図である。
【図８】図１に示されるプリントシステムにおいて、ユーザがパソコン端末７からプリントサーバ４にデジタル画像データの送信処理を行う際の動作のフローチャートである。
【図９】図１に示されるプリントシステムにおいて、メールサーバ２が広告付きメールを配信する際のフローチャートである。
【図１０】図９に示されるフローチャートの処理において、メールサーバ２がデータベース３に格納するデータの概念図である。
【図１１】図１に示されるプリントシステムにおいて、プリントサーバ４がプリント処理を行なう場合の動作のフローチャートである。
【図１２】図１に示されるプリントシステムにおいて、プリントサーバ４がプリント処理を行なう場合の割引率を決定するためのテーブルの一例を示す概念図である。
【図１３】図１に示されるプリントシステムにおいて、プリントサーバ４がプリント処理を行なう場合の割引率を決定するためのテーブルの一例を示す概念図である。
【図１４】図１に示されるプリントシステムにおいて、プリントサーバ４がプリント処理を行なう場合の割引率を決定するためのテーブルの一例を示す概念図である。
【図１５】図１に示されるプリントシステムにおける、登録したジャンル数からポイントを算出する場合の処理のグラフである。
【図１６】図１に示されるプリントシステムにおける、配信数からポイントを算出する場合の処理のグラフである。
【符号の説明】
１　広告サーバ
２　メールサーバ
３　データベース（本発明のユーザデータベース）
４　プリントサーバ
５　データベース（本発明の画像データベース）
６　ネットワーク
７　パソコン端末（本発明の端末、本発明のユーザ端末）
７ａ　メモリーカードリーダ
８　基地局
９　携帯端末（本発明の端末、本発明のユーザ端末）
９ａ　カメラ
１０　プリント装置
１１　デジタルカメラ
１１ａ　メモリーカード
１２　情報処理装置（本発明のユーザ端末）
１２ａ　メモリーカードリーダ
１３　被写体
１４　プリント
２０１　ＣＰＵ
２０２　入力部
２０３　主記憶部
２０４　出力部
２０５　補助記憶部
２０６　クロック部
２０７　制御部
２０８　演算部
２０９　バス
【図１】
2004127130.tif 000003
【図２】
2004127130.tif 000004
【図３】
2004127130.tif 000005
【図４】
2004127130.tif 000006
【図５】
2004127130.tif 000007
【図６】
2004127130.tif 000008
【図７】
2004127130.tif 000009
【図８】
2004127130.tif 000010
【図９】
2004127130.tif 000011
【図１０】
2004127130.tif 000012
【図１１】
2004127130.tif 000013
【図１２】
2004127130.tif 000014
【図１３】
2004127130.tif 000015
【図１４】
2004127130.tif 000016
【図１５】
2004127130.tif 000017
【図１６】
2004127130.tif 000018